(57)【特許請求の範囲】
【請求項１】
作業用衣服の袖構造であって、
腕を覆う筒状の袖本体部の内周側に、腕回りに密着可能に、腕回り方向の伸縮性を有した柔軟な素材からなり、前記袖本体部の内周面に略沿うように配置される略短筒状の異物捕捉部が設けられ、
前記異物捕捉部は、その先端部側が元部より着用時の肩側に位置するように配置されて、前記元部が前記袖本体部の内周面に周方向の全域に亘って結合され、
前記異物捕捉部と前記袖本体部の内周面との間に、前記袖本体部に結合された前記異物捕捉部の元部側を底部とし、着用時の肩側に向かって開口するポケット状空隙が前記袖本体部の周方向の全域に亘って設けられ、
前記異物捕捉部の先端部側の一部を前記袖本体部に結合させて、前記異物捕捉部が着用時に袖口側に向かって反転することを防止するための反転防止手段が設けられる
ことを特徴とする作業用衣服の袖構造。
【請求項２】
前記袖本体部の袖口に、腕回りに密着可能に、腕回り方向の伸縮性を有し、前記袖本体部より小径に形成される縮径袖口部が設けられることを特徴とする請求項１に記載の作業用衣服の袖構造。
【請求項３】
請求項１または２に記載の袖構造を備えたアームカバー。
【請求項４】
請求項１または２に記載の袖構造を備えた作業用衣服。
【発明の詳細な説明】
【技術分野】
【０００１】
本発明は、作業時に、体毛等の異物が作業用衣服の袖口から落下することを防止することのできる作業用衣服の袖構造に関する。
【背景技術】
【０００２】
食品加工工場などでは、加工される製品に異物が混入しないよう、種々の対策がとられている。製品に混入する虞のある異物の一つに作業従事者の身体から発せられる腋毛等の体毛がある。この体毛は、作業時に作業従事者が着用する衣服の袖口から落下して被作業物である製品に混入するものと考えられており、作業用衣服の袖に体毛落下を防止する仕様を施したものが知られている。
【０００３】
例えば特許文献１は、短筒状に形成された布材からなる体毛落下防止部材の一端側を袖の袖口付近の内周側に縫い付けるとともに、同体毛落下防止部材の他端側に袋状のゴム通しを形成し、該ゴム通し内にゴム紐を通してゴム紐の弾力により該他端側をすぼめることにより体毛落下防止を図った作業用衣服の袖構造を開示している。
【先行技術文献】
【特許文献】
【０００４】
【特許文献１】特開平３−１５２２０１号
【発明の概要】
【発明が解決しようとする課題】
【０００５】
しかしながら上記の袖構造では、体毛落下防止部材はゴム紐により先端側をすぼめられているのみで、作業従事者の動きに伴い、体毛落下防止部材と袖の間に隙間ができる場合があり、その際に体毛等の異物がその隙間から噴出してしまう虞があるため、確実に体毛等の異物の袖口からの落下を防止できるまでには至っていなかった。
【０００６】
そこで本発明は、より確実に衣服の袖口からの異物の落下を防止することができ、且つ着用感に優れた作業用衣服の袖構造を提供することを目的とする。なお、本明細書において作業用衣服とは、身頃に袖のついた一般的な作業着、背中側で紐を結ぶタイプのかっぽう着型衣服の他、腕だけを覆うアームカバー等、作業用に着用される衣服であって腕を覆う部位を備えるすべてのものを含む概念とする。
【課題を解決するための手段】
【０００７】
本発明に係る作業用衣服の袖構造は、
腕を覆う筒状の袖本体部の内周側に、腕回りに密着可能に、腕回り方向の伸縮性を有した柔軟な素材からなり、前記袖本体部の内周面に略沿うように配置される略短筒状の異物捕捉部が設けられ、
前記異物捕捉部は、その先端部側が元部より着用時の肩側に位置するように配置されて、前記元部が前記袖本体部の内周面に周方向の全域に亘って結合され、
前記異物捕捉部と前記袖本体部の内周面との間に、前記袖本体部に結合された前記異物捕捉部の元部側を底部とし、着用時の肩側に向かって開口するポケット状空隙が前記袖本体部の周方向の全域に亘って設けられ、
異物捕捉部の先端部側の一部を袖本体部に結合させて、異物捕捉部が着用時に袖口側に向かって反転することを防止するための反転防止手段が設けられる
ことを特徴とする。
【０００８】
この構成によれば、作業用衣服の着用時、異物捕捉部と袖本体部の内周面との間に、袖本体部の内周面の周方向の全域に亘って肩側に向かって開口するポケット状空隙ができる一方、異物捕捉部が作業従事者の腕の全周に隙間なく密着するため、体毛等の異物が腕の上方から落ちてきたような場合でも、その異物はポケット状空隙に落ち込んで捕捉され、作業用衣服の内に留まる。このため、体毛等の異物が作業用衣服の袖口から落下して食品等の加工物を汚染することを確実に防止することができる。また、異物捕捉部は、柔軟な素材から筒状に形成されて筒状の袖本体部の内周面に沿うように配置され、着用時に広い弧面状に腕の全周に接触するため、着用者の腕と擦れるということがなく、着用感が良い。
【０００９】
また、上述したような反転防止手段によれば、作業用衣服の着用時に、異物捕捉部が袖口側に向かって反転してしまい、腕回りに密着した異物捕捉部と袖本体部の内周面との間にポケット状空隙を設けるという異物捕捉部の本来の作用を奏さない事態を防止することができ、一層確実に、体毛等の異物が作業用衣服の袖口から落下することを防止することができる。
【００１０】
また上述の作業用衣服の袖構造において、袖口に、腕回りに密着可能に、腕回り方向の伸縮性を有し、袖本体部より小径に形成される縮径袖口部を設けることとすれば、万が一体毛等の異物が異物捕捉部のところで捕捉されず下方に落下してきたような場合でも、縮径袖口部が手首に密着して、異物を作業用衣服内に留めるので、作業用衣服の袖口からの異物の落下を二重に防止することができる。
【図面の簡単な説明】
【００１１】
【図１】本発明の一実施形態であるアームカバーの底面図である。
【図２】図１のアームカバーを裏返した状態を示す図である。
【図３】図１のIII−III部位における端面図である。
【図４】図１のアームカバーの構成部材を示す平面図である。
【図５】図１のアームカバーの使用状態を示す図である。
【図６】図１のアームカバーの平面図である。
【図７】図１のアームカバーの右側面図である。
【図８】図１のアームカバーの背面図である。
【図９】図１のアームカバーの正面図である。
【図１０】本発明の他の実施形態である作業用衣服の正面図である。
【図１１】図１０の作業用衣服を裏返した状態を正面側から見た図である。
【図１２】図１０のXII−XII部位における端面図である。
【図１３】図１０の作業用衣服の背面図である。
【図１４】図１０の作業用衣服の平面図である。
【図１５】図１０の作業用衣服の底面図である。
【図１６】図１０の作業用衣服の右側面図である。
【発明を実施するための形態】
【００１２】
以下に本発明の望ましい実施形態を図面に基づいて説明する。
【００１３】
図１から図９に示す本発明に係る作業用衣服の袖構造を有するアームカバー５０は、食品加工等の作業に従事する作業従事者の腕を露出させないため、あるいは作業従事者の私服の袖を汚さないために着用するものであり、筒状に形成されて腕を覆う袖本体部１と、袖本体部１の袖口５０ａ側である下端部１ａに結合され、手首を隙間なく覆い可能に袖本体部１より小径に形成された縮径袖口部７と、袖本体部１の内周側に設けられる異物捕捉部２１と、を備えて構成される。
【００１４】
袖本体部１は、図４に示す袖構成部材１１の幅方向（腕回り方向）における両縁１１ａ，１１ｂ相互を縫合（結合）することにより腕を通して覆い可能な筒状に構成されるもので、手首から上腕部にかけての部位を覆う程度の長さに形成される。袖本体部１は、手首を除く上腕部にかけての部位を覆うカバー部３と、着用時に上腕部に留まるように、上端部１ｂにおいて伸縮自在に構成される止着部５と、を備える。止着部５は、本実施形態では、袖本体部１の上端部１ｂに設けたゴム通し穴５ａに図示しないゴム紐を通して伸縮自在に構成され、着用時にゴム紐の弾性力により腕に留まる構成としたものである。袖本体部１を構成する袖構成部材１１は、用途に応じて、撥水加工、耐薬品加工等が施された合成繊維製の布帛から成る。
【００１５】
縮径袖口部７は、水分等が作業従事者の腕または私服を汚すこと及び体毛等の異物が外に噴出して被作業物を汚染することを防ぐために、手首回りに密着可能に袖本体部１より小径の腕回りに伸縮可能な筒状に構成されるもので、アームカバー５０の袖口５０ａに配置される。本実施形態では、縮径袖口部７は、止着部５とカバー部３とを構成する袖構成部材１１とは別体に用意される、腕回り方向の伸縮性を有した短筒状の袖口構成部材１７（図４）から構成されている。詳しくは、袖口構成部材１７は、本実施形態では、吸汗性、速乾性及び通気性が高く肌触りのよい合成繊維をリブ編み等により腕回り方向において伸縮可能な状態に製編した長方形の柔軟なニット素材からなり、これを腕回り方向における両端を結合して筒状としたうえで先端側（袖口側）１７ａが所謂「輪」になるように二つ折りにして二重の筒状としたものを使用しており、これが袖本体部１の下端部１ａに結合されている。
【００１６】
図１及び２に示すように、異物捕捉部２１は、筒状の袖本体部１の内周側において、袖本体部１の内周面１ｄに略沿うように配置される略短筒状のもので、本実施形態では、上述した縮径袖口部７の構成部材である袖口構成部材１７と同様の素材、すなわち、吸汗性、速乾性及び通気性が高く肌触りのよい合成繊維を腕回り方向に伸縮可能な状態に製編した柔軟なニット素材からなる捕捉部構成部材２７（図４）から構成される。捕捉部構成部材２７は、このニット素材を二つ折りにして二重にしたものである。異物捕捉部２１は、後述するように、この捕捉部構成部材２７を、長手方向（腕回り方向）の両端２７ａ，２７ｂを縫合（結合）して筒状にし、これを、袖本体部１の内周面１ｄにおける所定の位置に縫着（結合）したものである。その際、異物捕捉部２１は、捕捉部構成部材２７の二つ折りになった折り目の側（所謂「輪」になった側）を先端部２１ｄとし、この先端部２１ｄが元部２１ｃより着用時の肩側に位置するように配置されて、ニット素材の端末が二重に重なった元部２１ｃが、袖本体部１の内周面１ｄに周方向の全域に亘って結合されている。筒状に形成される前の捕捉部構成部材２７の腕回り方向における長さ寸法Ｌ１（図４）は、袖構成部材１１における、異物捕捉部２１の元部２１ｃが結合される部位Ｐにおける腕回り方向における幅寸法Ｌ２よりも若干短く設定されており、元部２１ｃが袖本体部１の内周面１ｄに結合される際、後述するようにその腕回り方向の伸縮性を利用して、若干腕回り方向に引き伸ばされた状態で袖本体部１に結合されるため、異物捕捉部２１は、先端部２１ｄ側が着用時に腕の全周に密着するように、元部２１ｃから先端部２１ｄ側に向かって若干すぼまる態様で袖本体部１の内周側に配置されることになる。
【００１７】
本実施形態では、異物捕捉部２１の元部２１ｃは、着用時に、手首から肘にかけての部位である前腕部にあたる位置、具体的には、袖本体部１の下端部１ａから約５ｃｍ上方に離れた位置における袖本体部１の内周面１ｄに、先端部２１ｄが縮径袖口部７とは反対側の着用時の肩側を向くように結合されている。この位置は、前腕部において腕が太くなる部位であり、アームカバー５０の着用時に、先端部２１ｄ側にかけてすぼまるような状態とされた異物捕捉部２１の先端部２１ｄ側が腕に密着する。
【００１８】
次に、実施形態のアームカバー５０の製造方法を説明する。
【００１９】
まず、二つ折り状態の捕捉部構成部材２７を、袖構成部材１１における袖本体部１の内周面１ｄとなる側に、異物捕捉部２１の先端部２１ｄとなる二つ折りの折り目側（上端側）２７ｄが、肩側、すなわち袖本体部１の上端１ｂ側となる袖構成部材１１の上端部１１ｄ側を向くように配置する。そして、捕捉部構成部材２７の元部２７ｃを、腕回り方向に若干引き伸ばしつつ、袖構成部材１１の所定の位置Ｐに縫合する。次に、袖構成部材１１を、幅方向（腕回り方向）における両縁１１ａ，１１ｂを揃えて重ね、袖本体部１の内周面１ｄとなる面、すなわち捕捉部構成部材２７を結合した側の面が外側を向くように二つ折りにし、両縁１１ａ，１１ｂ相互を縫合して縫合部１ｃを設けて筒状とする。このとき、捕捉部構成部材２７の腕回り方向における両端部２７ａ，２７ｂも縫合部１ｃにより袖構成部材１１の両縁１１ａ，１１ｂと共に縫合する。これにより、袖構成部材１１が筒状の袖形に形成され、異物捕捉部２１も両端部２７ａ，２７ｂ相互が結合されて筒状に形成される。ついで、袖構成部材１１の肩側となる上端部１１ｄを折り曲げる等してゴム通し穴５ａを設け、図示しないゴム紐を通して止着部５を作り、袖本体部１を完成させる。次に、二重筒状の袖口構成部材１７を、二つ折りにした折り目の側が先端側１７ａとなるように、折り目側とは反対側のニット素材の端末が二重に重なった側である元部１７ｂを袖本体部１の下端部１ａに縫合する。そして内周面１ｄが内側を向くようにアームカバー５０の表裏を反転させれば、図１，２及び図６から９に示すアームカバー５０が完成する。なお、捕捉部構成部材２７を袖構成部材１１に結合した際の縫い代、袖構成部材１１の両縁１１ａ，１１ｂを縫合した際の縫い代、及び袖口構成部材１７を袖構成部材１１に結合した際の縫い代は、ほつれ防止及び快適な着用感とするために、バイアステープ等の縁取り材でくるむ等して適宜処理してもよい。
【００２０】
こうして製造された実施形態のアームカバー５０は、筒状の袖本体部１の内周側に、腕回り方向に伸縮可能な素材からなり、袖本体部１の内周面１ｄに略沿うように配置される略短筒状の異物捕捉部２１を備える。異物捕捉部２１は、その先端部２１ｄ側が元部２１ｃより着用時の肩側に位置するように配置されて元部２１ｃが袖本体部１の内周面１ｄに周方向の全域に亘って結合され、異物捕捉部２１と袖本体部１の内周面１ｄとの間に、図３及び５に示すように、袖本体部１に結合された異物捕捉部２１の元部２１ｃ側を底部３３ａとし、着用時の肩側に向かって開口するポケット状空隙３３が袖本体部１の周方向の全域に形成される構成としている。この構成によれば、アームカバー５０の着用時、図５に示すように、異物捕捉部２１と袖本体部１の内周面１ｄとの間に袖本体部１の内周面の周方向の全域に亘ってポケット状空隙３３ができる一方、異物捕捉部２１における先端部２１ｄ側が作業従事者の腕の全周に隙間なく密着するため、体毛等の異物が腕の上方から落ちてきたような場合でも、その異物はポケット状空隙３３に落ち込んで捕捉され、アームカバー５０内に留まる。このため、体毛等の異物がアームカバー５０の袖口５０ａから落下して食品等の加工物を汚染することを確実に防止することができる。また、異物捕捉部２１は、柔軟な素材から筒状に形成されて筒状の袖本体部１の内周面１ｄに沿うように配置されるため、着用時に広い弧面状に腕の全周に接触し、着用者の腕と擦れるということがないから、着用感が良い。
【００２１】
本実施形態のアームカバー５０には、異物捕捉部２１の先端部２１ｄ側の一部を袖本体部１に結合させて着用時の異物捕捉部２１が袖口５０ａ側に向かって反転することを防止するための反転防止手段３１（図１から３参照）が設けられている。本実施形態の反転防止手段３１は、上述したように、製造工程において、捕捉部構成部材２７の腕回り方向の両端２７ａ，２７ｂが、袖構成部材１１の幅方向の両縁１１ａ，１１ｂ相互が縫合される際に共縫いされて、異物捕捉部２１の先端部２１ｄ側の一部が袖本体部１に結合されることにより構成される。もし反転防止手段３１がなく、筒状の袖本体部１の内周面１ｄに短筒状の異物捕捉部２１が元部２１のみにて結合される構成とした場合、袖本体部１の上端部１ｂ側から手を入れてアームカバー５０を着用する際、異物捕捉部２１の先端部２１ｄ側が腕に接触した状態でさらに腕をアームカバー５０の下方に移動させれば、柔軟な素材からなる異物捕捉部２１は、腕に接触したまま腕と共に下方へ移動し、先端部２１ｄ側が袖口５０ａに向くように、袖口側に向かって反転する可能性がある。異物捕捉部２１は袖本体部１の内周側にあって外側から視認できず、また柔軟なニット素材から構成されて着用感に優れ、反転した場合でも違和感を感じさせ難いために、着用者が異物捕捉部２１の反転に気付かずに作業を継続すれば、異物捕捉部２１と袖本体部１の内周面１ｄとの間に、異物をアームカバー５０内に留めておけるはずのポケット状空隙３３ができずに、異物捕捉部２１の本来の作用効果が奏されなくなる虞がある。したがって、本実施形態のように、異物捕捉部２１の先端部２１ｄ側の一部を袖本体部１に結合させる反転防止手段３１が設けられれば、着用時に異物捕捉部２１が袖口５０ａ側に向かって反転することを防止することができ、一層確実に、体毛等の異物がアームカバー５０の袖口５０ａから落下することを防止することができる。しかしながら、このような効果を考慮しなければ、反転防止手段を設けずに、略短筒状の異物捕捉部２１を、先端部２１ｄ側が元部２１ｃより着用時の肩側に位置するように配置して元部２１ｃを袖本体部１の内周面１ｄに結合するのみとしてもよい。
【００２２】
なお、反転防止手段３１の他の構成としては、例えば、予め筒状に形成された袖本体部１の内周側に、予め短筒状に形成された捕捉部構成部材２１の元部２１ｃのみを筒縫いにより結合させたうえで、スナップや面ファスナー等を利用して異物捕捉部２１の先端部２１ｄ側の一部を袖本体部１に結合したり、先端部２１ｄ側の一部を、別途、腕回り方向に沿ってあるいは袖本体部１の軸方向に沿って、袖本体部１に縫着すること等が考えられる。ただし、本実施形態のように、袖本体部１を筒状に形成する際に、捕捉部構成部材２７を共縫いして反転防止手段３１を設けることとすれば、別途の工程を経ずに反転防止手段３１を設けることができて製造工程を複雑化させずに済む。
【００２３】
また、本実施形態のアームカバー５０は、袖口５０ａに、腕回りに密着可能に、腕回り方向に伸縮性を有し、袖本体部１より小径に形成された縮径袖口部７を備えるため、万が一体毛等の異物が異物捕捉部２１のところで捕捉されず下方に落下してきたような場合でも、縮径袖口部７が手首に密着して、異物をアームカバー５０内に留めるので、アームカバー５０の袖口５０ａからの異物の落下を二重に防止することができる。
【００２４】
上述した作業用衣服の袖構造は、図１０から図１６に示すような袖付きの作業用衣服６０の袖部６１にも勿論適用可能である。この袖部６１は、身頃６３から連なり腕を覆う筒状の袖本体部１Ａの内周側に、上述したアームカバー５０におけるのと同様の、腕回り方向の伸縮性を有した柔軟な素材からなる短筒状の異物捕捉部２１が、袖本体部１Ａの内周面１ｄに略沿うように配置されている。異物捕捉部２１は、先端部２１ｄが元部２１ｃより着用時の肩側に位置するように配置されて、元部２１ｃが、袖本体部１Ａの内周面１ｄに周方向の全域に亘って結合されている。なお、袖部６１は、その構成部材を筒状の袖形の袖本体部１Ａに形成する際の縫合部１ｃを、図１１，図１４及び図１６に示すように、袖山側（腕の上面側に来る側）に有している。これは、縫合部が腕の下面側に来る位置にある場合に、作業中に袖部６１に付着した水分が下方に滴って、縫合部から染み込んで着用感を悪化させることを避けるための構成である。
【００２５】
この作業用衣服６０の着用時には、異物捕捉部２１と袖本体部１Ａの内周面１ｄとの間に、図１２及び図１３に示すように、袖本体部１Ａに結合された異物捕捉部２１の元部２１ｃ側を底部３３ａとし、肩側に向かって開口するポケット状空隙３３が、袖本体部１Ａの周方向の全域に亘ってできる一方、異物捕捉部２１における先端部２１ｄ側が作業従事者の腕の全周に隙間なく密着するため、体毛等の異物が腕の上方から落ちてきたような場合でも、その異物はポケット状空隙３３に落ち込んで捕捉され、袖部６１内に留まる。このため、体毛等の異物が作業用衣服６０の袖口６１ａから落下して食品等の加工物を汚染することを確実に防止することができる。また、異物捕捉部２１は、柔軟な素材から筒状に形成されて筒状の袖本体部１Ａの内周面１ｄに沿うように配置されるため、着用時に広い弧面状に腕の全周に接触し、着用者の腕と擦れるということがないから、着用感が良い。
【００２６】
また、この異物捕捉部２１にも、上述のアームカバー５０と同様、縫合部１ｃにより袖本体部１Ａが筒状に形成される際に異物捕捉部２１の構成部材が共縫いされることにより先端部２１ｄ側の一部を袖本体部１Ａに結合させてなる反転防止手段３１（図１０から図１２参照）が設けられており、着用時に、異物捕捉部２１が袖口６１ａ側に反転してしまうことが防止される。そして、この袖部６１も、上述のアームカバー５０と同様に、袖口６１ａに、腕回りに密着可能に、腕回り方向に伸縮性を有し、袖本体部１Ａより小径に形成された縮径袖口部７を備え、体毛等の異物が袖口６１ａから落下することを異物捕捉部２１と共に二重に防止している。
【００２７】
なお、縮径袖口部の構成としては、上述の実施形態のように、袖構成部材１１とは別体の、腕回り方向の伸縮性を有した筒状の袖口構成部材１７を袖本体部１，１Ａに結合させるほか、別体の部材を用いずに、長さを延長した袖本体部１，１Ａの下端部に、上述のアームカバー５０における止着部５と同様の態様で、細いゴム紐あるいは板状のゴムを通したゴム通し部を設けたり、長さを延長した袖本体部１，１Ａの下端部に、ゴム糸やシャーリングテープ等を利用してシャーリング加工を施したり等することにより、腕回りに密着可能に、袖本体部１，１Ａより小径に形成された縮径袖口部７を設けることも考えられる。また、本発明の袖構造が上述のような作業用衣服６０の袖部６１に適用される場合には、縮径袖口部７を設けずに袖口を開放した状態としてもよい。そのような構成であっても、袖本体部１Ａの内周側に異物捕捉部２１が設けられることにより、体毛等の異物が袖部６１の袖口６１ａから落下して食品等を汚染するのを防止することができる。
【００２８】
上述のアームカバー５０では、異物捕捉部２１の配置位置を、着用時に手首から肘にかけての前腕部にあたる位置として説明したが、異物捕捉部２１の配置位置はこれに限らず、着用時に上腕部にあたる位置としてもよい。
【００２９】
また、上述の作業用衣服６０では、袖部６１が手首までを覆う長さを有した所謂長袖のものとして説明したが、本発明に係る作業用衣服の袖構造は、作業用衣服の袖部が短い場合にも勿論適用可能である。
【符号の説明】
【００３０】
１，１Ａ  ・・・  袖本体部
１ｄ  ・・・  内周面
７  ・・・  縮径袖口部
２１  ・・・  異物捕捉部
２１ｃ  ・・・  元部
２１ｄ  ・・・  先端部
３１  ・・・  反転防止手段
３３  ・・・  ポケット状空隙
３３ａ  ・・・  底部
５０  ・・・  アームカバー
５０ａ  ・・・  袖口
６０  ・・・  作業用衣服
６１ａ  ・・・  袖口
【図１】
0006335850.tif 000002
【図２】
0006335850.tif 000003
【図３】
0006335850.tif 000004
【図４】
0006335850.tif 000005
【図５】
0006335850.tif 000006
【図６】
0006335850.tif 000007
【図７】
0006335850.tif 000008
【図８】
0006335850.tif 000009
【図９】
0006335850.tif 000010
【図１０】
0006335850.tif 000011
【図１１】
0006335850.tif 000012
【図１２】
0006335850.tif 000013
【図１３】
0006335850.tif 000014
【図１４】
0006335850.tif 000015
【図１５】
0006335850.tif 000016
【図１６】
0006335850.tif 000017